(57)【要約】  金属物体を処理することによって一体化した表面層を形成し、これが（ａ）金属物体を陽極酸化電解液に浸漬し、金属を不動態化することによって金属物体上に陽極酸化層を形成し、（ｂ）電位を印加し続けることによって表面層を改質し、（ｃ）次に、金属物体を化学的還元剤で処理することによって含水金属酸化物を生成し、（ｄ）次に、金属物体を、殺生物性物質を含有する溶液と接触させることによってこの殺生物性物質を表面層に取り込ませることによって行われる。【選択図】図１
2012522136.tif 000002
【特許請求の範囲】
【請求項１】
金属物体を処理して、その上に金属物体と一体化しており且つ殺生物性物質を含む表面層を形成する方法であって、
（ａ）表面層にとっての基体を提供する金属物体を、溶媒を含有する陽極酸化電解液に浸漬し、金属を不動態化することによって前記金属物体上に陽極酸化された一体化表面層を形成し、
（ｂ）電位を印加し続けることによって、前記一体化表面層を貫通して前記基体まで至るピットを形成し、
（ｃ）工程（ａ）及び（ｂ）後に前記金属物体を化学的還元剤で処理することによって含水金属酸化物を生成し、
（ｄ）工程（ｃ）で得られた陽極酸化済みの前記金属物体を、殺生物性物質を含有する溶液と接触させることによって前記殺生物性物質を前記表面層に取り込ませる
ことを含むことを特徴とする方法。
【請求項２】
前記化学的還元剤が、以下の：ＫＢｒ、ＮａＩ、Ｔｉ3+、Ｆｅ2+、ＮａＮＯ2又はＮａ2ＳＯ3の１種以上の溶液である、請求項１に記載の方法。
【請求項３】
前記化学的還元剤が、以下の：ＫＢｒ、ＮａＩ、Ｔｉ3+又はＨ3ＰＯ3の１種以上の溶液である、請求項１に記載の方法。
【請求項４】
工程（ｃ）が、固体の形態の腐食性金属を前記金属物体に接続して還元剤として機能させることを含む、請求項１に記載の方法。
【請求項５】
固体の形態の前記腐食性金属を電解液に浸漬する、請求項４に記載の方法。
【請求項６】
前記腐食性金属が、Ｆｅ又はＺｎ又はその合金である、請求項４又は５に記載の方法。
【請求項７】
前記殺生物性物質が、銀等の殺生物性金属を含む、請求項１〜６のいずれかに記載の方法。
【請求項８】
前記金属物体の金属が、チタン、ニオブ、タンタル、ジルコニウム及び／又はこれらの合金を含む、請求項１〜７のいずれかに記載の方法。
【請求項９】
陽極酸化が、リン酸、硫酸、酢酸又はアルカリ性塩基を含む電解液を使用して行われる、請求項１〜８のいずれかに記載の方法。
【請求項１０】
リン酸を、０．０１〜５Ｍの濃度で使用する、請求項９に記載の方法。
【請求項１１】
前記殺生物性物質を含有する溶液と接触させる前に、陽極酸化済みの前記金属物体を溶媒で処理して電解液及び可溶性カチオンを除去する、請求項１〜１０のいずれかに記載の方法。
【請求項１２】
陽極酸化を、０．１〜２５ｍＡ／ｃｍ2の範囲の電流密度で行う、請求項１〜１１のいずれかに記載の方法。
【請求項１３】
陽極酸化中、少なくとも工程（ｂ）のピット成長段階中、前記金属物体の表面に対しての前記電解液の動き及び循環を阻害する又は抑制する、請求項１〜１２のいずれかに記載の方法。
【請求項１４】
請求項１〜１３のいずれかに記載の方法によって製造される金属物体。
【請求項１５】
請求項１〜１５のいずれかに記載の方法によって製造される医療用インプラント又は医療機器又は宝飾品。
【発明の詳細な説明】
【技術分野】
【０００１】
本発明は、殺生物特性を付与するための金属物体の処理方法及びこの方法によって製造される金属物体に関する。特に、本発明は、身体における刺激又は感染の軽減に使用することができる処理を施した金属物体（例えば、金属インプラント）に関するが、これに限定するものではない。
【背景技術】
【０００２】
金属物体は、数多くの状況下で身体と接触する。例えば、インプラントを使用する外科手術において、これらのインプラントは、軟組織か硬組織かに関わらず、身体の組織に挿入される。例えば、骨の癌治療では、癌に冒された骨組織を除去し、補綴金属インプラントを使用して、除去した骨の部位と置換する。インプラントは、関節（例えば、股関節）の骨の部分又は完全置換にも使用され、また歯科学、顎顔面手術等のその他の分野でも使用される。上記（及びその他）の用途のインプラントはチタン金属又はチタン合金製であり得る。チタン金属及びチタン合金は生体適合性であり、比較的強靭且つ軽量である。
【０００３】
更に、金属物体は宝飾品として身体と接触する。しかしながら、合金は汗に含まれる水分と反応する場合がある。刺激及び感染は、身体を貫通する宝飾品だけでなく、着用者が敏感肌ならば、皮膚と接して位置する宝飾品でも起きる可能性がある。
【０００４】
このように、医療及び宝飾品の両業界において、身体組織と接触する金属の使用には感染源となる又は感染が発生するリスクがある。このため、両分野において、金属上への金属銀の電気めっきが提案されている。銀は殺生物特性を有することが知られており、また対象に毒性作用を引き起こすことなく感染を制御する。しかしながら、このようなコーティングでは、体液による腐食及び／又はインプラント表面の不動態化によって土台の金属がえぐられてコーティングが金属から剥離し、これが摩耗度の上昇につながり、また銀を含有する分離した粒子による組織損傷を招く場合がある。
【発明の概要】
【０００５】
本発明は、感染のリスクを抑えることができる、耐摩耗性と殺生物特性とを併せ持つ陽極酸化された金属物体を提供することによって、従来技術に関連する問題点を克服しようとするものである。
【０００６】
電解液中の金属に電圧を印加しながら電気化学的陽極酸化を利用して金属インプラントを処理することが知られている。このプロセス中、ピットが金属の表面に形成される。例えばチタン又はチタン合金系材料の陽極酸化中、ペルオキシ−チタニルカチオンが表面のピット内で生成され、表面を撹拌又はすすぎに供さない限り、これらのカチオンは表面のピット内に保持されると推測される。（陽極酸化に使用した正電圧に対して負の極性又は陰極の）還元電圧を印加することによって、ペルオキシ−チタニルカチオンをピット内で含水チタニアＴｉ（ＯＨ）4に変換できるが、現在は、予期せぬことに、化学的還元剤を使用して還元を行えることが判明している。
【０００７】
発明の第１の態様において、金属物体を処理して、その上に金属物体と一体化しており且つ殺生物性物質を含む表面層を形成する方法が提供され、この方法は、
（ａ）表面層にとっての基体を提供する金属物体を、溶媒を含有する陽極酸化電解液に浸漬し、金属を不動態化することによって金属物体上に陽極酸化された一体化表面層を形成し、
（ｂ）電位を印加し続けることによって、一体化表面層を貫通して基体まで至るピットを形成し、
（ｃ）工程（ａ）及び（ｂ）後に金属物体を化学的還元剤で処理することによって含水金属酸化物を生成し、
（ｄ）工程（ｃ）で得られた陽極酸化済みの金属物体を、殺生物性物質を含有する溶液と接触させることによってこの殺生物性物質を表面層に取り込ませることを含む。
【０００８】
好ましい実施形態において、この化学的還元剤は、以下の：ＫＢｒ、ＮａＩ、Ｔｉ3+、Ｈ3ＰＯ3、Ｆｅ2+、ＮａＮＯ2、Ｎａ2ＳＯ3の１種以上から選択される。或いは、液体の試薬を使用する代わりに、好ましくは電解液中に浸漬させる固体の形態の腐食性金属（Ｆｅ、Ｚｎ等）を陽極酸化済みのワークピースに接続して外部還元剤として機能させることが可能である。この場合、この腐食性金属は電気的接続を介して金属物体と接触し、また電解液を介してイオン接続される。腐食性金属電極は優先的に腐食し、外部電池又は外部電源を使用することなく、金属物体の表面での電気化学的還元が引き起こされる。この化学的還元剤は、以下の：亜硫酸ナトリウム、第一鉄塩（塩化物又はサルフェート）、亜硝酸ナトリウム、塩化第一スズ又は硫酸第一スズ、クロムクロリド又はクロムサルフェート、硫酸バナジウム、ヒドラジン、ホウ化水素、又はアセトン、ホルムアルデヒドの１種以上から適切な条件下で選択され得る。
【０００９】
化学的還元剤の濃度は、０．００１〜５Ｍ、より典型的には０．１〜１Ｍの範囲であり得て、特に有用な濃度は０．１Ｍである。本発明は開示の化学的還元剤に限定されない。好ましくは、化学的還元剤は、臭素等の不要な副生成物の生成を回避しつつペルオキシ−カチオン性錯体を還元できる酸性の電子供与体である。好ましくは、化学的還元剤は、含水チタニアを可溶化し得るＴｉ（ＩＶ）の錯化成分（ｃｏｍｐｌｅｘａｎｔ）（フルオライド及びオキサレートアニオン等）を含有しない。
【００１０】
好ましい実施形態において、金属物体は、工程（ｂ）後に電解質溶液から取り出されるが、化学的還元剤が、例えば電解液に浸漬され得る腐食性金属系である場合は（例えば、金属鉄、金属亜鉛）、金属物体を取り出す必要はない。
【００１１】
表面のピット内に保持された電解質溶液はペルオキシ−カチオン性錯体（ペルオキシ−チタニル等）を含有すると考えられる。金属物体を陽極酸化電解液から取り出すと、ペルオキシ−チタニル等の物質が金属物体の表面のピットに入ったまま還元溶液中に運ばれて、そこで還元されて含水チタニアとなる。
【００１２】
化学的還元剤溶液を使用することによって含水金属酸化物が生成され、これらの酸化物は広い表面積を有する。この広い表面積によって、殺生物性物質として使用できる銀等の物質とのイオン交換が促進される。
【００１３】
工程（ｂ）において、金属物体を、ピットが表面層を貫通して基体金属に至るまで形成されるまで陽極酸化し、工程（ｄ）において、殺生物性物質をこのピットに優先的に取り込ませる。陽極酸化は、最初の不動態化、すなわち表面膜を成長させてピッチング用に表面を準備するプロセスを含む工程（ａ）と、次にピッチングそれ自体をする工程（ｂ）との２段階プロセスである。これらのピットの正確な特質は重要ではないが、いずれにしても工程（ｂ）によって表面は改質されて、この表面の工程（ｄ）における殺生物性物質の吸収能力が向上する。
【００１４】
陽極酸化中に印加される最大電圧によって、不動態化酸化物膜の厚さが決定され得る。後に印加されるより低い電圧は、膜の厚さに影響しない。
【００１５】
不動態化中の電圧は、時間の経過と共に限界値まで直線的に上昇する電圧として印加されるか、最大限界値まで、若しくはその後低い値まで段階的に電圧が印加される。不動態化を複数回行うことも想定され、電圧を繰り返し印加することによって、ピッチング用の金属表面を準備する。これらの異なる電圧印加方法は全て電圧印加の定義に含まれる。
【００１６】
工程（ｄ）に進む前に、好ましくは、陽極酸化済みの金属をすすいで残留電解液及び／又は化学的還元剤を除去する工程があり、次に、続いて殺生物性金属イオンを含有する溶液と接触させて、その殺生物性金属イオンを金属物体の表面層に取り込ませる。このすすぎは、水、より好ましくは純水又は脱イオン水又はいずれの適当な溶媒を使用して行ってもよい。
【００１７】
工程（ａ）及び（ｂ）の陽極酸化手順の間、正電圧を金属に印加する。工程（ｃ）中、陽極酸化済みのピットが形成された金属材料を、ペルオキシ−チタニルを含水チタニアに還元する作用を有する化学的還元剤の形態の還元剤の溶液に浸漬する。化学的還元は、ピット形成のための工程（ｂ）の終了後に起きる。ここで言うピットとは、殺生物性物質を貯蔵可能なウェル又は貯蔵部のことである。陽極酸化及びそれに続く工程の結果、金属物体は、その表面から成長した陽極酸化層から形成される硬質の外表面を有し（典型的には、約０．３〜１．０μｇ／ｃｍ2のＡｇを吸着することができる）、この層全体に亘って、殺生物性物質（銀イオン等）の追加のイオンを受け取ることができるピットが分散している。殺生物性物質を受け取るピット内のマトリックスは硬質の陽極酸化表面より比較的軟らかく且つ多孔質になり得ることから、より高い銀貯蔵能力とより硬質の陽極酸化表面という、最適な特性の組み合わせが得られる。
【００１８】
殺生物性物質は殺生物性金属を含み得て、特に、殺生物性金属は銀である。コロイドタイプの殺生物性物質を代わりに使用することも想定され、例えば、身体部位に栄養素を放出することもできる含水チタニア表面上にタンパク質コロイドを吸着させて、インプラントを配置した身体の治癒を支援する。
【００１９】
陽極酸化工程（ａ）における正電圧は１〜２００Ｖ（ボルト）であり得て、典型的には３０〜１５０Ｖの範囲又は適当な高破壊電圧の電解液（ホウ酸リチウム等）においては最大７５０Ｖ若しくは２０００Ｖにさえなる。有用と見なされている電圧は、例えば２０、３５又は１００Ｖであり、これらはインプラントの分野において特に有用である。所望の厚さ、硬さ及び色の不動態化層の成長後（工程（ａ））、ピットを表面に同じ又は異なる電解液中で、恐らくは低電位で成長させ、続いて化学的還元工程によってその場で含水チタニアを生成させ得る。
【００２０】
好ましくは、殺生物性物質（例えば、銀等の金属）は、イオンの形態の溶液で提供される。殺生物性金属は銀であり得る、又は銀を含み得るが、その他の金属も銀に加えて又は銀の代わりに使用し得る。金属物体（処理済みのインプラント等）は、感染の制御又は抑制に効果的である。
【００２１】
陽極酸化は、好ましくはリン酸を含む液状の電解質を使用して行われ得、このリン酸は、所望の範囲内に溶液のｐＨを制御するために、溶媒に溶解させてより希薄な溶液にしてある。電解液は、水を溶媒として含み得る。その他の電解液（硫酸、リン酸塩溶液、酢酸等）も使用し得る。アルカリ性電解液（水酸化ナトリウム等）も使用し得る。これらの電解液が希釈形態にあることが好ましく、例えば２．１ＭのＨ3ＰＯ4、０．１ＭのＨ2ＳＯ4である。
【００２２】
高電流が流れている不動態化段階（ａ）中は、局所的な加熱作用を最小限に抑えるために穏やかな撹拌を行うことが望ましいが、好ましくは、陽極酸化工程中、少なくとも、微視的なピットが表面層を貫通して形成されている間（工程ｂ）、金属物体の表面に対しての電解液の動き又は循環を抑制する又は阻害する。これは１個のアイテムについてのプロセス均一性、また同時に処理するアイテム群でのプロセス均一性の両方を改善するにあたって有益である。例えば、ピット成長期間（ｂ）中は電解液の撹拌を行うべきではない及び／又は電解液の動きを防止又は軽減するためのバッフル等の手段若しくは添加剤（電解液の粘度を上昇させるためのゲル化剤等）を使用し得る。微視的なピットが陽極酸化表面層を貫通して基体金属まで形成される陽極酸化工程（ｂ）の間、金属物体の表面に対して電解液を運動又は循環させなければ、より多くの含水金属酸化物（例えば、含水酸化チタン）がピット内で生成されることが判明している。また、より多くの殺生物性金属をこのようにして陽極酸化された表面の部位に取り込ませることができ、得られた金属物体を使用しても毒性作用を引き起こすことがないと判明している。
【００２３】
リン酸は、０．０１〜５．０Ｍ、典型的には０．１〜３．０Ｍの範囲、特には２．０Ｍの濃度を有し得る。医療分野における使用濃度の例は０．０５〜５．０Ｍ、例えば１．０〜３．０Ｍであり、宝飾品業界においては０．０１〜５．０Ｍである。好ましくは、酸性電解液のｐＨは０．５＜ｐＨ＜２．０の範囲内、より理想的には０．７５＜ｐＨ＜１．７５の範囲内に維持されるべきである。
【００２４】
アルカリ性電解液を使用する場合、ｐＨは好ましくは９より高く、より典型的にはｐＨは１０〜１４の範囲である。アルカリ性電解液は、Ｎａ3ＰＯ4等のリン酸塩であり得る。
【００２５】
その他の陽極酸化電解液をリン酸の代わりに使用する場合、ｐＨ又は更には温度における変化等の要因により、所望の作用を得るためには、硫酸又は酢酸の調節が必要になり得る。
【００２６】
金属物体の幾何学的表面積は、コンピュータ援用設計（ＣＡＤ）等の慣用の手段、又は処理対象であるアイテムの幾何モデルと組み合わせた標準的な測定器（カリパス、マイクロメータ、定規等）の使用、又はより高度な光学的方法（レーザースキャニング等）によって決定することができる。しかしながら、この測定では、金属の微視的な表面の特徴又は表面粗さを考慮していない。この微視的表面積は、陽極酸化工程中にどのぐらいの電荷を通過させるかを決定し、またその量を制御する上で重要な要素である（例えば、クーロン／ｃｍ2）。微視的表面積は、例えば、金属物体（整形外科用インプラント等）を電解液中に浸漬し、二重層キャパシタンスを測定し、このキャパシタンスを、同じ温度及び電解液濃度条件下の較正標準と比較することによって決定することができる。従って、典型的には、単位微視的表面積あたりの電荷又は電流（例えば、クーロン／ｃｍ2、ｍＡ／ｃｍ2）を陽極酸化プロセスの制御において使用する。微視的表面積対幾何学的表面積比は表面粗さ係数として知られ、また一方の面積をもう一方の面積に換算するのに使用することができる。例えば、幾何学的面積基準で１０μｇ／ｃｍ2の銀の担持量は、表面粗さ係数が２の場合、微視的面積基準で５μｇ／ｃｍ2の銀の担持量に相当する。
【００２７】
陽極酸化を、０．１〜１００ｍＡ／ｃｍ2、好ましくは０．１〜５０ｍＡ／ｃｍ2、より典型的には１〜１０ｍＡ／ｃｍ2の範囲、例えば５ｍＡ／ｃｍ2前後の最大電流密度で行い得る。これによって、不動態化にかかる時間が決定され（すなわち、印加電位の０から最大値（例えば、１００Ｖ）への上昇）、ここで電流は著しく低い値まで低下する。或いは、時間の経過と共に直線的に上昇する印加電圧又は段階的に上昇する印加電圧を印加することによって不動態化期間を制御し得る。これが続くピット成長段階（ｂ）に影響する。概して、典型的に、プロセスのピット成長部で使用する電流密度の初期値は典型的には０．０５〜０．５ｍＡ／ｃｍ2の範囲であり、この段階終了時の電流密度の値は典型的には０．２〜５．０ｍＡ／ｃｍ2の範囲である。
【００２８】
陽極酸化（工程（ａ）、（ｂ））のための電荷量は、１〜１０クーロン／ｃｍ2、例えば２〜５クーロン／ｃｍ2の範囲であり得る。陽極酸化電流は、０．５〜８時間、特には１〜６時間、例えば２〜４時間に亘って通過させられ得る。
【００２９】
本発明は、この説明に続く請求項の１つ以上で特定されるような金属物体を処理する方法も提供する。
【００３０】
本発明の更なる態様において、上記の及び後述の方法によって得られる金属物体も提供される。
【００３１】
金属物体は、インプラント、医療器具若しくは機器又は宝飾品の形態であり得る。特に、医療器具又は機器の場合、これには身体と接触することになる全てのタイプの機器又は用具、例えばペースメーカー、ステント、スキンステープル、メス、トロカール、骨用のピン、更には外科手術中に使用されるメス、組織クランプ等の医療器具が含まれ得る。
【００３２】
金属物体は、動物であれヒトであれ、金属物体の材料と接触することになる個体に有毒な作用を及ぼすことなく感染を抑制及び／又は制御するのに望ましい殺生物特性を有する。
【００３３】
本発明のインプラントは、完全及び部分股関節置換、顎顔面、外傷、歯科矯正及び整形外科用途において有用なインプラント、歯科インプラント、神経学的装置並びに心血管及び一般外科手術において使用される部品（ステープル、ネイル、ピン等）を含む多くの医療及び外科的目的に使用することができる。
【００３４】
本発明の金属物体から作ることができる宝飾品には、全てのタイプの宝飾品を含めることができる。この宝飾品は、指輪、ネックレス、ブレスレット等の従来の宝飾品であり得る。或いは、宝飾品は、身体の開口部内に保持されるタイプのもの、例えば、経皮的に身体に適用される、すなわち身体を貫通する宝飾品（例えば、ピアス、臍リング、唇、頬等の身体のその他の肉質部位を貫通して挿入されるリング）であり得る。
【００３５】
本発明に従ってインプラント又は宝飾品の製造に使用し得る金属は、チタン又はチタン合金であり得る。これを目的とした１つの標準的な合金は、６％のアルミニウムと４％のバナジウムとを含む９０％のチタンである（英国規格７２５２）。或いは、金属は、ニオブ、タンタル、ジルコニウム又はこれらの合金を含み得る。
【００３６】
インプラント又は宝飾品に関しては、材料の表面を高度に研磨してから陽極酸化によって表面層を形成することが望ましい。インプラントの場合、高度に研磨された表面によって、インプラントが骨と接触する際の局所的なカルシウム沈着の傾向が軽減される。研磨された表面は、フレッティング又は摩耗が最小限に抑えられた表面上での筋肉及び組織の滑らかな動きも可能にする。適切な研磨は、例えば機械的若しくは化学的研磨及び／又は電解研磨等の公知の技術によって達成され得る。
【００３７】
金属物体を最初に研磨することによって、表面を極めて滑らかにし得る。チタン合金を、酢酸又は硝酸とフッ化水素酸との混合物を使用して電解研磨することができる。或いは、金属物体を、電解グレイニング（ｅｌｅｃｔｒｏｌｉｎｉｓｈｉｎｇ）と称され得るアノード不動態化と機械的研磨との組み合わせに供し得て、このプロセスによって、表面粗さを保護している酸化物が除去され、表面のこの地点は次に電気化学的に再不動態化されて、鏡面平滑仕上げが出来上がる。この目的には、硫酸と混合した硝酸、水酸化ナトリウム、リン酸ナトリウム、酢酸、硝酸ナトリウムと混合した水酸化ナトリウムを含む様々な電解液が適している。グリットブラスティング、ショットブラスティング、ショットピーニング等の技法を使用して（例えば、殺生物性イオンを担持させた後、限局的な骨の付着を促進するための、続くプラズマ溶射によるヒドロキシアパタイトの塗布のために）表面を整えてもよい。また、表面にチタンをスプレーコーティングして粗面にしてもよい。
【００３８】
金属物体の表面を研磨した後又はその他の処理を施した後に、表面の改質又は変換を、上述したように行うことができる。水和金属酸化物材料（若干のホスフェートを含み得る）が、陽極酸化とそれに続く化学的還元によって形成される。次に、殺生物性金属種を、酸化物及び／又はホスフェートマトリックスに吸収させる。この殺生物性金属種はイオンの形態であり得て、例えば銀イオン（又はＣｕ++）であり、これらのイオンを、酸化物及び／又はホスフェートマトリックスにイオン交換によって吸収させることができる。パラジウム、プラチナ又は更にルテニウムのカチオンも、同様のやり方で吸収させることができる。要望に応じて、次に、酸化物又はホスフェート表面コーティング内で、堆積させた銀、プラチナ又はパラジウムイオンを金属に、或いは堆積させたルテニウムイオンを不溶性のＲｕＯ2へと変換することができ、この反応は、化学的に又は電気化学的に又は光によって行われる。
【００３９】
本発明について、添付の図面を参照し、また単なる非限定的な例として挙げる本発明の実施形態について触れながら更に説明する。
【図面の簡単な説明】
【００４０】
【図１】還元技法の関数としての銀担持量のグラフである。
【発明を実施するための形態】
【００４１】
まず、インプラントを清浄し得る。この清浄プロセスでは、まず液相としてアセトン（又はその他の脱脂溶媒）を使用して超音波清浄し、次に新鮮なアセトン（又はその他の溶媒）、続いて脱イオン水又はその他の適切なすすぎ用溶液ですすぎ得る。次に、金属材料を水酸化ナトリウム（又はその他のアルカリ性洗浄剤）の１Ｍの水溶液で清浄し、次に脱イオン水ですすぎ得る。次に、得られた清浄済み金属材料を、リン酸水溶液と接触させて陽極酸化する。リン酸の濃度は好ましくは０．１〜５Ｍ、より典型的には１〜３Ｍの範囲であり、例えば２Ｍ（又は溶液の約２０質量％）である。インプラントは、１５〜１５０Ｖ、より典型的には５０〜１５０Ｖの範囲、例えば１００Ｖの電圧を使用して陽極酸化される。このような範囲は、宝飾品にも適用し得る。
【００４２】
電圧は、好ましくは、陽極酸化表面層を貫通して基体までピット又はピット形成領域が望ましく成長するまで維持される。好ましくは、陽極酸化中の表面の電流密度をモニタする。初期の膜成長期間中の適切な電流密度限界値は典型的には約５ｍＡ／ｃｍ2であり、電圧を最大一定値まで上昇させることによって、十分に陽極酸化された表面がインプラント上に形成される。電位はその最大値まで（例えば、３０Ｖから８０Ｖ、１００Ｖへと）一段階で又は数段階かけて印加され得る。或いは、電位をその最大値まで直線的に０．１〜１０Ｖ／秒、好ましくは０．２〜５Ｖ／秒、理想的には０．５〜２Ｖ／秒の制御された上昇率で上昇させ得る。望ましい陽極酸化度は通常、２〜５クーロン／ｃｍ2（インプラントの表面積）の電荷量の通過後に得られる。好ましくは、陽極酸化プロセスは、０．２５〜６時間、例えば２〜４時間に亘って行われる。適切な電荷量は約３．５クーロン／ｃｍ2である。
【００４３】
このようにして陽極酸化されたインプラントの表面は酸化チタンを含む硬質層及びピット又はピット形成領域を含む。このピット及び／又はピット形成領域は酸化チタンを含有すると考えられ、また可溶性チタン化合物も含有し得る。ピットは典型的には最大２〜３μｍの深さを有し、典型的には厚さ０．１４μｍ（１００Ｖの場合）の不動態化層を基体まで貫通し、また最大５μｍの直径を有する。ピットの占有面積は、好ましくは表面積の１０％未満であるものの、表面積の約５〜２０％であってよい。しかしながら、印加する電圧及び処理時間の長さに応じて、ピットの深さ及び直径は様々であり得て、例えば、深さは１〜５μｍ、より典型的には１〜４μｍであり得て、直径は０．１〜２０、より典型的には１〜１０μｍ又は１〜５μｍであり得て、これらの範囲はインプラントの表面全体で変化し得る。
【００４４】
陽極酸化中、インプラントを入れた電解質溶液に電圧を印加する。金属表面の不動態化が起き、これによってチタン金属基体と一体化した材料が形成される。最初の電圧印加時、電位は通常、電流制限器を使用して制御され、電位は２．５〜１０ｍＡ／ｃｍ2の範囲になり得るが、より高いレベルも使用することができる。電流制限時、電源から供給される印加電位は、酸化物膜が厚くなるに従って徐々に上昇する。電圧は既定の限界値まで上昇させられ、この既定の限界値は、金属の表面材料に必要とされる特性に応じて選択される。電圧限界値に達したら（例えば、１００Ｖ）、電流は低レベルに戻り（例えば、１ｍＡ／ｃｍ2未満）、電流レベルにおけるこの低下は、不動態化が起きたことを示す。不動態化が一旦起きたら、電圧を維持して不動態化金属表面の表面加工を行わせ、この行程中にピットが表面に形成される。電圧レベル及び電圧を印加する時間は、表面に必要とされるカバレージ及びピットの寸法に応じて選択することができ、金属表面を正確に表面加工することができる。
【００４５】
細孔／ピットが金属の表面に一旦形成されたら、金属のピットにおける殺生物性イオンの担持量を上昇させるための、金属表面の表面加工を行ってもよい。ピットが一旦形成されたら、工程（ｂ）中に表面加工を行ってもよく、ここでは金属又はその合金に印加する電圧を続いて変化させる（例えば、チタンの場合、２０Ｖ、３０Ｖ又は７５Ｖに）。電圧におけるこの変化によって、欠陥がある領域又は局所的に小さなピットがある領域において表面の破壊が起き得る。ピットの壁は電気活性のままであることから、この電圧変化は、直径の拡大及び深さの上昇による表面に既にあるピット／欠陥の成長を引き起こし得る。
【００４６】
チタンを含むインプラントの高電圧陽極酸化中、以下の式：
〔式１〕
２Ｈ2Ｏ  →  Ｈ2Ｏ2  ＋  ２Ｈ+  ＋  ２ｅ-
に従って、半導体電極との界面での水の酸化を通じて過酸化水素が産生される。この過酸化水素は、保護陽極膜を介して、ピットでの腐食によって産生されたＴｉＯ2+と錯化して、反応：
〔式２〕
ＴｉＯ2+  ＋  Ｈ2Ｏ2  →  ＴｉＯ22+  ＋  Ｈ2Ｏ
を経て高可溶性錯体ＴｉＯ22+（ペルオキシ−チタニル）を生成し得る。（表面をすすぎ又は撹拌に供さない限り）酸化チタン錯体は、金属表面のピット内に留まる。不動態化及び必要な形態でのピット形成が一旦完了したら、金属物体を化学的還元剤による処理に供することによって、このペルオキシ−チタニルをＴｉ（ＯＨ）4（含水チタニア又はＨＴｉＯ）に変換する。
【００４７】
陽極酸化に続いて、化学的還元が起きる。本発明においては、幾つかの化学的還元剤を試験して、これらの還元剤が化学的還元段階での使用に適しているか否かを調べた。このために小さな研磨済みのＴｉ６Ａｌ４Ｖ合金試験用ディスクをねじ付きコンタクトに取り付け、アセトン中で超音波清浄した。７枚のディスクを使用し、ディスクを脱イオン（ＤＩ）水ですすぎ、１ＭのＮａＯＨ中で超音波清浄し、脱イオン水中で再度すすぎ、次に２．１ＭのＨ3ＰＯ4中で、２０℃で、電圧を１５Ｖまで０．５Ｖ／秒で上昇させ、１００Ｖまで０．５Ｖ／秒で再度上昇させ、１０分間に亘って１００Ｖを維持し、電圧を２０Ｖまで低下させ、その電圧を２０分間に亘って維持して陽極酸化した。サンプル３、５〜８への電圧印加を停止し、サンプル５〜８を、様々な還元剤溶液への浸漬のために電解液から取り出した。サンプル３は、電解液に浸漬した軟鋼電極に４分間に亘って接続され（−０．６６Ｖ  ＡｇＣｌ／Ａｇと同等）、サンプル１、２は、（−０．４５Ｖの負電圧の印加による（ＡｇＣｌ／Ａｇ））電気化学的に誘発された還元工程に２分間に亘って供された。サンプル５〜８を、溶液の乱れを最小限に抑えながら、０．１ＭのＫＢｒ、（ＮＨ4）2Ｆｅ（ＳＯ4）2、ＮａＮＯ2及びＮａ2ＳＯ3の還元剤溶液に７分間に亘って浸漬した。次に、全てのサンプルを取り出して、脱イオン水ですすいでから、撹拌された０．１ＭのＡｇＮＯ3中に浸漬して１時間に亘って銀を担持させた。銀の評価分析を、銀をサンプルから抽出し、ＩＣＰ−ＭＳを使用して分析することによって行った。
【００４８】
還元すると、含水チタニアが、式：
〔式３〕
ＴｉＯ22+  ＋  ２Ｈ2Ｏ  ＋  ２ｅ-  →  Ｔｉ（ＯＨ）4 
に従って生成される。還元は、逆（負）電圧をインプラントに印加することによって電気化学的に行うことができ、この負電圧は、２．１Ｍのリン酸を電解液として使用する場合、好ましくは、Ａｇ／ＡｇＣｌ標準対照電極に対して−０．２〜−０．７Ｖである。この電圧範囲は、水である溶媒の電解を回避するのに十分な低さである。腐食性金属（鉄等）を使用した化学的還元は電気化学的還元と類似しており、同じく負電圧をインプラントに印加するが、外部電池又は外部電源を使用しない。
【００４９】
銀溶液は、０．００１〜１０Ｍ、例えば０．０１〜１．０Ｍの範囲、例えば０．１Ｍ前後の銀濃度を有する硝酸銀の水溶液である。酸環境で処理した表面を続いて０．１ＭのＡｇＮＯ3溶液（ｐＨ約４）に入れると、イオン交換反応を起こすことができる。
〔式４〕
ＨＴｉＯ−Ｈ+  ＋  Ａｇ+  →  ＨＴｉＯ−Ａｇ+  ＋  Ｈ+
【００５０】
この処理済みのインプラントは、０．１〜１００μｇ／ｃｍ2、０．５〜４０μｇ／ｃｍ2、より典型的には２〜２０μｇ／ｃｍ2の銀含有量を有し得る。この銀は最初は主にイオンの形態で存在するが、光還元の結果として、含水チタニア吸着マトリックス内に分散した金属の原子クラスタに少なくとも部分的に変換され得る。典型的には、約０．３〜１μｇ／ｃｍ2の銀が硬質不動態化層上に吸着され、残りは含水チタニアが充填されたピット内に貯蔵される。
【００５１】
含水チタニアは、硝酸銀（ＡｇＮＯ3）溶液と接触させた際に銀カチオン等のカチオンで飽和する無機イオン交換媒体であり、この交換媒体によって銀のレベルが上昇する。含水チタニアは、銀カチオンを金属種に光還元するための触媒としても知られていて、この光還元によって、吸着されたイオン銀の一部は吸着材マトリックス内に分散した金属銀に変換される。
【００５２】
還元剤溶液がアルカリ性であれば、ＨＴｉＯはその上にヒドロキシル基を吸着してしまうことから、ＡｇＮＯ3溶液は、Ａｇ2Ｏの沈殿を回避するために弱酸性である必要がある。
〔式５〕
ＨＴｉＯ−ＯＨ-  ＋  Ｈ+  ＋  Ａｇ+  →  ＨＴｉＯ−Ａｇ+  ＋  Ｈ2Ｏ
【００５３】
以下の表１は、陽極酸化及び銀担持量のデータをまとめたものである。単位面積あたりの値は、微視的表面積（下付きのｍ）及び幾何学的表面積（下付きのｇ）に基づいて計算したものである。
【００５４】
【表１】
2012522136.tif 000003
【００５５】
このデータは図１に示されていて、記載の実験条件下、最も多い銀担持量がＮａＮＯ2で得られ、それにＦｅコンタクトが僅差で続き、ＫＢｒ、次に比較用の電気化学的還元（ＥＣ）が続くことが見て取れる。Ｆｅ（ＩＩ）もＮａ2ＳＯ3も、ＮａＮＯ2ほど効果的ではなかった。Ａｇ担持量が上昇すると、サンプルは、光学電子顕微鏡下で見ると黒ずんだ領域を有する。
【００５６】
Ｆｅ還元電極を使用する場合、還元に先立ってサンプルを陽極酸化電解液から取り出す必要はないことも注目される。これによって、電解液から取り出して別の還元剤に浸漬する際の、インプラントの表面で生成されたペルオキシ−チタニルの損失が最小限に抑えられる（損失は、表面で生成されるＨＴｉＯの残留量の低下と、それに伴う続くイオン交換でのＡｇ担持量の減少をもたらす）。すなわち、Ｆｅ還元電極の使用によって、電解液から取り出す際にペルオキシ−チタニルを表面から洗い落としてしまうことが回避される。ただし、電解液は、腐食によって発生する鉄カチオンによって少しずつ汚染される（亜鉛還元電極を使用する場合は亜鉛）。この汚染は、腐食性金属と接触している電解液をサンプルと接触している電解液から塩橋又はイオン選択膜（アニオン選択膜等）によって分離することで防止することができる。
【００５７】
金属基体、特に非チタン系材料（例えば、Ｎｂ、Ｔａ、Ｚｒ及びこれらの合金）の場合、化学的還元剤の使用は、後の殺生物性物質の吸着に先立って含水金属酸化物吸着媒体を表面に導入する有用な方法であり得る。この吸着材は、インプラントの材料となる金属（例えば、ジルコニウム）をベースとしたものであってもよいが、費用効果のために好ましくはチタニアが使用される。
【００５８】
不動態化プロセスにより、光学干渉作用から様々な色彩の外観を有し得る硬質の表面が形成される。陽極酸化の初期段階において、表面の色彩は金から紫、青、無色を経て緑、黄、オレンジ、そして最終的に赤／紫に変化する。１００Ｖでの陽極酸化により、厚さ約１４０ｎｍの膜が形成される。電圧の変化によって、陽極酸化度ひいては硬質の表面の厚さを変化させることができ、厚さが色彩に影響する。様々な電圧によって色彩は変化し、例えば、２．０Ｍのリン酸では、約２０Ｖ、最高３５Ｖで金属（例えば、インプラント、宝飾品）表面が青色になる。様々な色彩の物品を得られることは、異なる審美的効果が得られるだけでなく、物品（インプラント等）の識別を可能にもする。例えば、ある目的のための又はある製造業者製のインプラントを色分けすることができ、このインプラントを取り外さなくてはならない、又は置換しなくてはならない場合、医師はそのインプラントが特定のタイプのものであると識別することができるため、そのインプラントを同じタイプの別のインプラントに置換することができる。宝飾品の場合は、色彩の違いによって異なる魅力が生み出され、これは特にチタン系の宝飾品にあてはまる。
【００５９】
体液に曝露されている間に銀種が陽極酸化層からゆっくりと浸出することから、微生物（細菌、酵母、真菌等）の金属物体周囲での繁殖が阻害されると考えられる。この浸出は主として、金属物体上の銀と、金属物体と接触する体液に含まれるナトリウムとのイオン交換によって起きると考えられる。その他のメカニズム（金属銀の局在する酸素によるイオン種への酸化等）が起きて銀イオンが放出され、この銀イオンが微生物の繁殖又はバイオフィルムの形成を絶つ又は抑制する場合もある。
【００６０】
上記の本発明の方法を、陽極酸化電解液による処理を伴う様々な金属物体の調製に利用し得る。特に、本発明を、チタン製の又はチタン合金の金属物品及びジルコニウム、ニオブ、タンタル又はその合金の金属物品に利用することができる。
【００６１】
本明細書における殺生物性金属としての銀への言及が、その他の殺生物性金属（銅、金、プラチナ、パラジウム、これらの混合物等）の単体又は他の殺生物性金属との組み合わせにもあてはまることを理解されたい。
【００６２】
殺生物性物質を一旦導入したら、骨形成促進材料（ヒドロキシアパタイト等）を金属インプラント上にコーティングをすることも想定される。
【００６３】
本発明の個々の実施形態について述べたが、これらの個々の実施形態を組み合わせたものも請求項で請求し且つ説明した本発明の範囲内に含まれることを理解されたい。
【図１】
2012522136.tif 000004
【国際調査報告】
2012522136.tif 000005
2012522136.tif 000006